(57)【特許請求の範囲】
【請求項１】
有色の画像データである有色版データと、無色の画像データであるクリアトナー版データと、を含む画像データを生成する印刷制御装置であって、
記録媒体に付与する表面効果の種類と前記表面効果を付与する前記記録媒体における領域を特定する光沢制御版データに基づいて前記クリアトナー版データを生成する生成手段と、
印刷単位を示すページの一面にわたって表示される透明画像を特定する前記クリアトナー版データが生成される回数を示す第１の回数、および、前記ページ内に繰り返し表示される透明のパターン画像を特定する前記クリアトナー版データが生成される回数を示す第２の回数を個別に算出する算出手段と、
を備えたことを特徴とする印刷制御装置。
【請求項２】
前記光沢制御版データに設定された濃度値に基づいて、前記ページの一面にわたって表示される透明画像を特定する前記クリアトナー版データが生成されるのか、前記ページ内に繰り返し表示される透明のパターン画像を特定する前記クリアトナー版データが生成されるのかを解析する解析手段をさらに備え、
前記算出手段は、前記解析手段による解析結果に従って、前記第１の回数および前記第２の回数を個別に算出すること、
を特徴とする請求項１に記載の印刷制御装置。
【請求項３】
前記算出手段は、前記有色版データが生成されずに、前記クリアトナー版データのみが生成される回数を示す第３の回数を、前記第１の回数および前記第２の回数とは別に算出すること、
を特徴とする請求項１に記載の印刷制御装置。
【請求項４】
有色の画像データである有色版データと、無色の画像データであるクリアトナー版データと、を含む画像データを生成する印刷制御システムであって、
記録媒体に付与する表面効果の種類と前記表面効果を付与する前記記録媒体における領域を特定する光沢制御版データに基づいて前記クリアトナー版データを生成する生成部と、
印刷単位を示すページの一面にわたって表示される透明画像を特定する前記クリアトナー版データが生成される回数を示す第１の回数、および、前記ページ内に繰り返し表示される透明のパターン画像を特定する前記クリアトナー版データが生成される回数を示す第２の回数を個別に算出する算出部と、
を備えることを特徴とする印刷制御システム。
【請求項５】
前記光沢制御版データに設定された濃度値に基づいて、前記ページの一面にわたって表示される透明画像を特定する前記クリアトナー版データが生成されるのか、前記ページ内に繰り返し表示される透明のパターン画像を特定する前記クリアトナー版データが生成されるのかを解析する解析手段をさらに備え、
前記算出部は、前記解析手段による解析結果に従って、前記第１の回数および前記第２の回数を個別に算出すること、
を特徴とする請求項４に記載の印刷制御システム。
【請求項６】
前記算出部は、前記有色版データが生成されずに、前記クリアトナー版データのみが生成される回数を示す第３の回数を、前記第１の回数および前記第２の回数とは別に算出すること、
を特徴とする請求項４に記載の印刷制御システム。
【請求項７】
記録媒体に付与する表面効果の種類と前記表面効果を付与する前記記録媒体における領域を特定する光沢制御版データに基づいて、無色の画像データであるクリアトナー版データを生成する生成ステップと、
印刷単位を示すページの一面にわたって表示される透明画像を特定する前記クリアトナー版データが生成される回数を示す第１の回数、および、前記ページ内に繰り返し表示される透明のパターン画像を特定する前記クリアトナー版データが生成される回数を示す第２の回数を個別に算出する算出ステップと、をコンピュータに実行させるためのプログラム。
【発明の詳細な説明】
【技術分野】
【０００１】
本発明は、印刷制御装置、印刷制御システムおよびプログラムに関する。
【背景技術】
【０００２】
従来、Ｃ（シアン）、Ｍ（マゼンタ）、Ｙ（イエロー）、Ｋ（ブラック）の４色のトナーの他に、色材が入っていない無色のトナーであるクリアトナーを搭載した画像形成装置が存在する。このような画像形成装置では、光沢のある無色のクリアトナーを用いて、目立ちにくい模様や装飾を表現した透明画像を記録媒体上に形成することができる。
【０００３】
一方、プリンタによる印刷が行われる所定の期間について、各種機能の利用度調査やある利用単位での課金を目的として度数をカウントし記憶する管理カウンタが従来から知られている。この技術では、ＣＹＭＫの有色トナーに基づくカラー／白黒カウンタの他、クリアトナーによる利用度数を示すカウンタが既に知られている。例えば、特許文献１に開示されたプリンタは、カラー課金カウンタ、及び、クリアトナー課金カウンタを備えている。そして、カラー印刷、及びクリアトナー印刷の実行に伴い、カラー課金カウンタ、及びクリアトナー課金カウンタが、カウントアップされる構成が開示されている。
【発明の概要】
【発明が解決しようとする課題】
【０００４】
ここで、クリアトナーを用いた透明画像の生成方法には様々な種類が存在する。例えば印刷単位を示すページの一面にわたって表示される透明画像を特定するクリアトナー版データを生成して印刷する方法もあるし、小さい画像や文字によるロゴなどのパターン画像（透明のパターン画像）が、ページの一面に繰り返し展開される態様の透明画像を特定するクリアトナー版データを生成して印刷する方法もある。しかしながら、従来技術では、クリアトナーを用いた透明画像の生成方法の種別を区別せずに、クリアトナーの利用で一律にカウントしてしまうため、透明画像の生成方法の種別ごとのカウンタ値が得られず、透明画像の生成方法の種別ごとの利用度を把握することができないという問題があった。
【０００５】
本発明は、上記に鑑みてなされたものであって、クリアトナーを用いた透明画像の生成方法の種別ごとの利用度を把握可能な印刷制御装置、印刷制御システムおよびプログラムを提供することを目的とする。
【課題を解決するための手段】
【０００６】
上述した課題を解決し、目的を達成するために、本発明は、有色の画像データである有色版データと、無色の画像データであるクリアトナー版データと、を含む画像データを生成する印刷制御装置であって、記録媒体に付与する表面効果の種類と前記表面効果を付与する前記記録媒体における領域を特定する光沢制御版データに基づいて前記クリアトナー版データを生成する生成手段と、印刷単位を示すページの一面にわたって表示される透明画像を特定する前記クリアトナー版データが生成される回数を示す第１の回数、および、前記ページ内に繰り返し表示される透明のパターン画像を特定する前記クリアトナー版データが生成される回数を示す第２の回数を個別に算出する算出手段と、を備えたことを特徴とする。
【０００７】
また、本発明は、有色の画像データである有色版データと、無色の画像データであるクリアトナー版データと、を含む画像データを生成する印刷制御システムであって、記録媒体に付与する表面効果の種類と前記表面効果を付与する前記記録媒体における領域を特定する光沢制御版データに基づいて前記クリアトナー版データを生成する生成部と、印刷単位を示すページの一面にわたって表示される透明画像を特定する前記クリアトナー版データが生成される回数を示す第１の回数、および、前記ページ内に繰り返し表示される透明のパターン画像を特定する前記クリアトナー版データが生成される回数を示す第２の回数を個別に算出する算出部と、を備えることを特徴とする。
【０００８】
さらに、本発明は、記録媒体に付与する表面効果の種類と前記表面効果を付与する前記記録媒体における領域を特定する光沢制御版データに基づいて、無色の画像データであるクリアトナー版データを生成する生成ステップと、印刷単位を示すページの一面にわたって表示される透明画像を特定する前記クリアトナー版データが生成される回数を示す第１の回数、および、前記ページ内に繰り返し表示される透明のパターン画像を特定する前記クリアトナー版データが生成される回数を示す第２の回数を個別に算出する算出ステップと、をコンピュータに実行させるためのプログラムである。
【発明の効果】
【０００９】
本発明によれば、クリアトナーを用いた透明画像の生成方法の種別ごとの利用度を把握することができる。
【図面の簡単な説明】
【００１０】
【図１】図１は、第１実施形態の印刷制御システムの構成を例示する図である。
【図２】図２は、有色版の画像データの一例を示す図である。
【図３】図３は、光沢の有無に関する表面効果の種類を例示する図である。
【図４】図４は、光沢制御版の画像データをイメージとして示した図である。
【図５】図５は、クリア版の画像データの一例を示す図である。
【図６】図６は、濃度値選択テーブルの一例を示す図である。
【図７】図７は、描画オブジェクト、座標、濃度値との対応関係を示す図である。
【図８】図８は、印刷データの構成例を概念的に示す模式図である。
【図９】図９は、ＤＦＥの機能的構成を例示する図である。
【図１０】図１０は、表面効果選択テーブルのデータ構成を例示する図である。
【図１１】図１１は、実施形態において指定された表面効果の種類と、プリンタ機で用いられるクリアトナー版の画像データと、実際に得られる表面効果との対比を示す図である。
【図１２】図１２は、ユーザ定義０１に対応するパターン画像の一例を示す図である。
【図１３】図１３は、パターン１に対応するパターン画像が繰り返し展開されて生成されたクリアトナー版データの一例を示す図である。
【図１４】図１４は、ユーザ定義０２に対応するパターン画像の一例を示す図である。
【図１５】図１５は、パターンデータ記憶部のデータ構成を例示する図である。
【図１６】図１６は、印刷制御システムが行う光沢制御処理の一例を示すフローチャートである。
【図１７】図１７は、光沢制御版の画像データの変換処理の一例を示すフローチャートである。
【図１８】図１８は、第１実施形態のカウント処理の一例を示すフローチャートである。
【図１９】図１９は、第２実施形態のカウンタ値算出部の構成例を示す図である。
【図２０】図２０は、第２実施形態のカウント処理の一例を示すフローチャートである。
【図２１】図２１は、第３実施形態の印刷制御システムの構成を例示する図である。
【図２２】図２２は、第３実施形態のサーバ装置の機能的構成例を示す図である。
【図２３】図２３は、第３実施形態のＤＦＥの機能的構成例を示す図である。
【図２４】図２４は、第３実施形態のＤＦＥによる処理の手順を示すフローチャートである。
【図２５】図２５は、第３実施形態のサーバ装置による処理の手順を示すフローチャートである。
【図２６】図２６は、クラウド上に２つのサーバ装置を設けたネットワーク構成図である。
【図２７】図２７は、ホスト装置、ＤＦＥ、サーバ装置のハードウェア構成図である。
【発明を実施するための形態】
【００１１】
以下に添付図面を参照して、この発明にかかる印刷制御装置、印刷制御システムおよびプログラムの実施の形態を詳細に説明する。
【００１２】
（第１実施形態）
図１は、第１実施形態に係る印刷制御システム１の構成例を示すブロック図である。図１に示すように、印刷制御システム１は、ホスト装置１０と画像形成装置１００とを備える。画像形成装置１００は、制御装置（DFE:Digital Front End）２０と、インタフェースコントローラ（MIC:Mechanism I/F Contoroller）３０と、プリンタ機４０とが接続されて構成される。
【００１３】
ＤＦＥ２０は、ＭＩＣ３０を介してプリンタ機４０と通信を行い、プリンタ機４０での画像の形成を制御する。また、ＤＦＥ２０には、ＰＣ(Personal  Computer)等のホスト装置１０が接続される。ＤＦＥ２０は、ホスト装置１０から画像データを受信して、当該画像データを用いて、プリンタ機４０がＣＭＹＫの各トナー及びクリアトナーに応じたトナー像を形成するための画像データを生成してこれをＭＩＣ３０を介してプリンタ機４０に送信する。プリンタ機４０には、ＣＭＹＫの各トナーとクリアトナーとが少なくとも搭載されており、各トナーに対して感光体、帯電器、現像器及び感光体クリーナを含む作像ユニット、露光器及び定着機が各々搭載されている。
【００１４】
ここで、クリアトナーとは、色材を含まない透明な（無色の）トナーである。なお、透明（無色）とは、例えば、透過率が７０％以上であることを示す。
【００１５】
プリンタ機４０は、ＭＩＣ３０を介してＤＦＥ２０から送信された画像データに応じて、露光器から光ビームを照射して各トナーに応じたトナー像を感光体上に形成して、これを紙などの記録媒体に転写しこれを定着機によって所定の範囲内の温度（通常温度）での加熱及び加圧で定着させる。これによって記録媒体に画像が形成される。このようなプリンタ機４０の構成については周知であるため、ここでその詳細な説明を省略する。記録媒体は、紙に限られるものではなく、例えば合成紙、ビニール等であってもよい。
【００１６】
ここで、ホスト装置１０から入力される画像データ（原稿データ）について説明する。ホスト装置１０では、予めインストールされた画像処理アプリケーション（後述する画像処理部１２０、版データ生成部１２２、印刷データ生成部１２３等）により画像データが生成されて、ＤＦＥ２０に送信される。このような画像処理アプリケーションでは、ＲＧＢ版やＣＭＹＫ版などの各色版における各色の濃度の値（濃度値という）を画素毎に規定した画像データに対して、特色版の画像データを取り扱うことが可能である。特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００１７】
本実施の形態では、この特色としてのクリアトナーを、記録媒体に付与する視覚的または触覚的な効果である表面効果を形成するため、および、記録媒体に、上記表面効果以外のウォーターマークやテクスチャ等の透明画像を形成するために用いる。
【００１８】
このため、ホスト装置１０の画像処理アプリケーションは、入力された画像データに対して、有色版の画像データの他、特色版の画像データとして、ユーザの指定により、光沢制御版の画像データおよび／またはクリア版の画像データとを生成する。
【００１９】
ここで、有色版の画像データ（以下では、「有色版データ」と呼ぶ場合がある）とは、画素毎にＲＧＢやＣＭＹＫ等の有色の濃度値を規定した画像データである。この有色版の画像データでは、ユーザによる色の指定により、１画素を８ビットで表現される。図２は、有色版データの一例を示す説明図である。図２において、「Ａ」、「Ｂ」、「Ｃ」等の描画オブジェクトごとにユーザが画像処理アプリケーションで指定した色に対応する濃度値が付与される。
【００２０】
また、光沢制御版の画像データとは、記録媒体に付与する視覚的または触覚的な効果である表面効果に応じたクリアトナーを付着させる制御を行うため、当該表面効果の与えられる記録媒体における領域および当該表面効果の種類を特定した画像データである。
【００２１】
この光沢制御版は、ＲＧＢやＣＭＹＫ等の有色版と同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版によって、表面効果の種類と、表面効果を与える領域とが表される（領域を表すデータを別途付与してもよい）。
【００２２】
ここで、ホスト装置１０は、ユーザが画像処理アプリケーションにより指定した描画オブジェクトに対する表面効果の種類を、描画オブジェクトごとに光沢制御値としての濃度値として設定してベクタ形式の光沢制御版の画像データ（以下、「光沢制御版データ」と呼ぶ場合がある）を生成する。
【００２３】
この光沢制御版データを構成する各画素は、色版の画像データの画素に対応する。尚、各画像データにおいては各画素の表す濃度値が画素値となる。また、色版の画像データ及び光沢制御版は共にページ単位で構成される。
【００２４】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００２５】
鏡面光沢やベタ光沢は、光沢を与える度合いが高く、逆に、網点マットやつや消しは、光沢を抑えるためのものであり、特に、つや消しは、通常の記録媒体が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。尚、処理対象の画像データによって表される画像のどの領域に表面効果を与えるのかやその領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、光沢制御版の画像データが生成される。濃度値と表面効果の種類との対応関係については後述する。
【００２６】
図４は、光沢制御版の画像データの一例を示す説明図である。図４の光沢制御版の例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値（光沢制御値）は、後述の表面効果選択テーブル（図１０参照）で、表面効果の種類に対応して定められた濃度値である。
【００２７】
クリア版の画像データ（以下では、「クリア版データ」と呼ぶ場合がある）とは、上記表面効果以外のウォーターマークやテクスチャ等の透明画像を特定した画像データである。図５は、クリア版の画像データの一例を示す説明図である。図５の例では、ユーザにより、ウォーターマーク「Ｓａｌｅ」が指定されている。
【００２８】
このように、特色版の画像データである、光沢制御版およびクリア版の画像データは、ホスト装置１０の画像処理アプリケーションにより、有色版の画像データとは別のプレーンで生成される。また、有色版の画像データ、光沢制御版の画像データ、クリア版の画像データの各画像データの形式は、ＰＤＦ（Portable  Document  Format）形式が用いられるが、各版のＰＤＦの画像データを統合した原稿データとして生成される。なお、各版の画像データのデータ形式は、ＰＤＦに限定されるものではなく、任意の形式を用いることができる。
【００２９】
ホスト装置１０は、画像処理アプリケーションで、有色版の画像データ、クリア版の画像データをユーザの指示により生成する。また、ホスト装置１０は、画像処理アプリケーション、またはそのプラグインソフトウェアで、ユーザが指定した領域および表面効果を設定した光沢制御版の画像データを、生成する。
【００３０】
ホスト装置１０は、記憶部（不図示）に、ユーザにより指定される表面効果の種類と、当該表面効果の種類に対応する光沢制御版の濃度値とを記憶する濃度値選択テーブルを格納している。画像処理アプリケーション、またはそのプラグインソフトウェアは、この濃度値選択テーブルを用いて、光沢制御版の画像データを生成する。
【００３１】
図６は、濃度値選択テーブルの一例を示す図である。図６の例では、ユーザにより「ＰＧ」（鏡面光沢）が指定された領域に対応する光沢制御版の濃度値は「９８％」であり、「Ｇ」（ベタ光沢）が指定された領域に対応する光沢制御版の濃度値は「９０％」であり、「Ｍ」（網点マット）が指定された領域に対応する光沢制御版の濃度値は「１６％」であり、「ＰＭ」（つや消し）が指定された領域に対応する光沢制御版の濃度値は「６％」である。
【００３２】
この濃度値選択テーブルは、ＤＦＥ２０で記憶している表面効果選択テーブル（後述）の一部のデータであり、ホスト装置１０の制御部が所定のタイミングで表面効果選択テーブルを取得して、取得した表面効果選択テーブルから生成して記憶部に保存する。なお、インターネット等のネットワーク上のストレージサーバ（クラウド）に表面効果選択テーブルを保存しておき、ホスト装置１０の制御部が当該サーバから表面効果選択テーブルを取得して、取得した表面効果選択テーブルから生成するように構成してもよい。ただし、ＤＦＥ２０で記憶している表面効果選択テーブルとホスト装置１０の記憶部に保存されている表面効果選択テーブルとは同じデータである必要がある。
【００３３】
ホスト装置１０は、図６に示す濃度値選択テーブルを参照しながら、ユーザにより所定の表面効果が指定された描画オブジェクトの濃度値（光沢制御値）を、当該表面効果の種類に応じた値に設定することで、光沢制御版の画像データを生成する。例えばユーザにより、図２に示した有色版の画像データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、ユーザにより「ＰＧ」が指定された描画オブジェクト（「ＡＢＣ」）の濃度値を「９８％」に設定し、「Ｇ」が指定された描画オブジェクト（「長方形」）の濃度値を「９０％」に設定し、「Ｍ」が指定された描画オブジェクト（「円形」）の濃度値を「１６％」に設定することで、光沢制御版の画像データを生成する。生成された光沢制御版の画像データは、点の座標と、それを結ぶ線や面の方程式のパラメータ、および、塗り潰しや特殊効果などを示す描画オブジェクトの集合として表現されるベクタ形式のデータである。図７は、図４の光沢制御版の画像データにおいて、描画オブジェクト、座標、濃度値との対応関係を示す図である。図４は、この光沢制御版の画像データをイメージとして示した図である。そして、光沢制御版の画像データと、対象画像の画像データ（有色版の画像データ）と、クリア版の画像データとを統合した原稿データが生成される。
【００３４】
そして、ホスト装置１０は、原稿データに基づいて印刷データを生成する。印刷データは、対象画像の画像データ（有色版の画像データ）と、光沢制御版の画像データと、クリア版の画像データと、例えばプリンタの設定、集約の設定、両面の設定などをプリンタに対して指定するジョブコマンドとを含んで構成される。図８は、印刷データの構成例を概念的に示す模式図である。図８の例では、ジョブコマンドとして、ＪＤＦ（Job  Definition  Format）が用いられているが、これに限られるものではない。図８に示すＪＤＦは、集約の設定として「片面印刷・ステープル有り」を指定するコマンドである。また、印刷データは、PostScriptのようなページ記述言語（ＰＤＬ）に変換されてもよいし、ＤＦＥ２０が対応していれば、ＰＤＦ形式のままでもよい。以下では、説明の便宜上、クリア版の画像データが印刷データに含まれていない場合を例に挙げて説明する。
【００３５】
次に、ＤＦＥ２０の機能的構成について説明する。ＤＦＥ２０は、図９に例示されるように、レンダリングエンジン２０１と、ｓｉ１部２０２と、カラープロセッシング２０３と、ｓｉ２部２０４と、ハーフトーンエンジン２０５と、クリアプロセッシング２０６と、Ｓｉ３部２０７と、カラー／白黒判定部２０８と、カウンタ値算出部２０９と、課金処理部２１０とを有する。
【００３６】
レンダリングエンジン２０１には、ホスト装置１０から送信された印刷データが入力される。レンダリングエンジン２０１は、入力された印刷データを言語解釈して、ベクタ形式で表現される画像データをラスタ形式に変換すると共に、ＲＧＢ形式等で表現された色空間をＣＭＹＫ形式の色空間に変換して、ＣＭＹＫの色版の各８ビットの画像データ及び８ビットの光沢制御版を出力する。ｓｉ１部２０２は、ＣＭＹＫの各８ビットの画像データをカラープロセッシング２０３に出力し、８ビットの光沢制御版をクリアプロセッシング２０６に出力する。
【００３７】
ここで、ＤＦＥ２０は、ホスト装置１０から出力されたベクタ形式の光沢制御版の画像データをラスタ形式に変換し、この結果、ＤＦＥ２０は、ユーザが画像処理アプリケーションにより指定した描画オブジェクトに対する表面効果の種類を、画素を単位として濃度値として設定して光沢制御版の画像データを出力する。
【００３８】
カラープロセッシング２０３には、ｓｉ１部２０２を介してＣＭＹＫの各８ビットの画像データが入力される。カラープロセッシング２０３には、入力された画像データに対してキャリブレーションにより生成された１Ｄ＿ＬＵＴのガンマカーブでガンマ補正を行う。画像処理としては、ガンマ補正の他にトナーの総量規制等があるが、この実施の形態の例では省略している。総量規制とは記録媒体上の１画素において、プリンタ機４０で載せることが可能なトナー量に限界があるため、ガンマ補正後のＣＭＹＫ各８ビットの画像データを制限する処理である。ちなみに、総量規制を越えて印刷した場合、転写不良や定着不良により画質が劣化してしまう。当実施例では関連するガンマ補正のみを取り上げて説明している。カラープロセッシング２０３は、ガンマ補正後のＣＭＹＫの各８ビットの画像データを、ｓｉ２部２０４およびカラー／白黒判定部２０８の各々へ出力する。
【００３９】
ｓｉ２部２０４は、カラープロセッシング２０３でガンマ補正されたＣＭＹＫの各８ビットの画像データを、インバースマスク（後述する）を生成するためのデータとしてクリアプロセッシング２０６へ出力する。ハーフトーンエンジン２０５には、ｓｉ２部２０４を介してガンマ補正後のＣＭＹＫの各８ビットの画像データが入力される。ハーフトーンエンジン２０５は、入力された画像データをプリンタ機４０に出力するための、例えばＣＭＹＫの各２ビット等の画像データのデータ形式に変換するハーフトーン処理を行い、ハーフトーン処理後のＣＭＹＫ各２ビット等の画像データを出力する。なお、２ビットは一例であり、これに限定されるものではない。
【００４０】
クリアプロセッシング２０６には、レンダリングエンジン２０１が変換した８ビットの光沢制御版がｓｉ１部２０２を介して入力されると共に、カラープロセッシング２０３がガンマ補正を行ったＣＭＹＫの各８ビットの画像データがｓｉ２部２０４を介して入力される。クリアプロセッシング２０６は、入力された光沢制御版を用いて、後述の表面効果選択テーブルを参照して、光沢制御版を構成する各画素の表す濃度値(画素値)に対する効果（表面効果等）を判断して、当該判断に応じて、クリアトナーを付着させるための２ビットのクリアトナー版の画像データ（以下では、「クリアトナー版データ」と呼ぶ場合がある）を適宜生成する。ｓｉ３部２０７は、ハーフトーン処理後のＣＭＹＫの各２ビットの画像データと、クリアプロセッシング２０６が生成した２ビットのクリアトナー版の画像データとを統合し、統合した画像データをＭＩＣ３０に出力する。
【００４１】
ここで、クリアプロセッシング２０６の具体的な内容を説明する。図９に示すように、クリアプロセッシング２０６は、光沢制御版記憶部３０１と、表面効果選択テーブル記憶部３０２と、パターンデータ記憶部３０３と、クリアトナー版生成部３０４と、光沢制御版解析部３０５とを備える。
【００４２】
光沢制御版記憶部３０１には、ｓｉ１部２０２から入力された光沢制御版の画像データが保存される。表面効果選択テーブル記憶部３０２には、後述する表面効果選択テーブルが保存される。パターンデータ記憶部３０３には、後述のユーザ定義に対応するパターンの種別と、パターン画像とが対応付けられて記憶される。
【００４３】
クリアトナー版生成部３０４は、入力された光沢制御版の画像データを用いて、表面効果選択テーブル記憶部３０２に保存された表面効果選択テーブルを参照して、光沢制御版の画像データを構成する各画素の表す濃度値（画素値）に対する効果を判断して、当該判断に応じて、入力されたＣＭＹＫの各８ビットの画像データを用いてインバースマスクやベタマスクを適宜生成することにより、クリアトナーを付着させるための２ビットのクリアトナー版の画像データを適宜生成して出力する。
【００４４】
ここで、インバースマスクとは、表面効果を与える対象の領域を構成する各画素上のＣＭＹＫのトナー及びクリアトナーを合わせた総付着量が均一になるようにするためのものである。具体的には、ＣＭＹＫ版の画像データにおいて当該対象の領域を構成する画素の表す濃度値を全て加算し、その加算値を所定値から差し引いた画像データがインバースマスクとなる。例えば、上述のインバースマスク１は以下の式１で表される。
【００４５】
Ｃｌｒ＝１００−（Ｃ＋Ｍ＋Ｙ＋Ｋ）  但し、Ｃｌｒ＜０となる場合、Ｃｌｒ＝０
・・・(式１)
【００４６】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ，Ｋの各トナーの総付着量が１００％を越えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。
【００４７】
例えば、インバースマスクは、各画素にクリアトナーを均一に付着させるものであってもよい。この場合のインバースマスクは、ベタマスクともいい、以下の式２で表される。
Ｃｌｒ＝１００・・・(式２)
【００４８】
尚、表面効果を与える対象の画素の中でも、１００％以外の濃度率が対応付けられるものがあるようにしても良く、ベタマスクのパターンは複数有り得る。
【００４９】
また、例えばインバースマスクは、各色の地肌露出率の乗算により求められるものであってもよい。この場合のインバースマスクは、例えば以下の式３で表される。
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００５０】
また、例えばインバースマスクは、最大面積率の網点が平滑性を律すると仮定した方法により求められるものであってもよい。この場合のインバースマスクは、例えば以下の式４で表される。
Ｃｌｒ＝１００−max（Ｃ，Ｍ，Ｙ，Ｋ）・・・(式４)
上記式４において、max（Ｃ，Ｍ，Ｙ，Ｋ）は、ＣＭＹＫのうち最大の濃度値を示す色の濃度値が代表値となることを示す。
【００５１】
要するに、インバースマスクは、上記式１〜式４の何れかの式により表されるものであればよい。
【００５２】
表面効果選択テーブルは、表面効果を示す光沢制御値としての濃度値と当該表面効果の種類の対応関係を示すと共に、これらと、プリンタ機４０で用いるクリアトナー版の画像データ（クリアトナー版１）との対応関係を示すテーブルである。印刷制御システムの構成は、様々に異なり得るが、本実施形態においては、プリンタ機４０に後処理機が接続されない構成である。図１０は、表面効果選択テーブルのデータ構成を例示する図である。尚、表面効果選択テーブルは、異なる印刷制御システムの構成毎に、後処理機に関する制御情報と、プリンタ機４０で用いるクリアトナー版の画像データ及び後処理機で用いるクリアトナー版の画像データと、濃度値及び表面効果の種類との対応関係を示すように構成され得るが、図１０では、本実施形態に係る印刷制御システム１の構成に応じたデータ構成を例示している。
【００５３】
図１０に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果やユーザ定義が対応付けられている。なお、光沢制御版においては、表面効果などの効果を与える領域を構成する全ての画素について基本的に同一の範囲の濃度値を表す。
【００５４】
図１０の例では、例えば、「２３８」〜「２５５」の画素値に対しては表面効果として鏡面光沢（PG:Premium  Gross）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。また、「２１２」〜「２３２」の画素値に対しては、ベタ光沢（G:Gross）が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。また、「２３」〜「４３」の画素値に対しては、網点マット（M:Matt）が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し（PM:Premium  Matt）が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機４０で使用するクリアトナー版の画像データを求める式に違いがあるものの、プリンタ本体の動作は同じである。尚、「０」の濃度値には、何の効果（表面効果や後述のユーザ定義により指定される効果）も与えないことが対応付けられている。
【００５５】
また、図１０には、プリンタ機４０で用いるクリアトナー版の画像データ（クリアトナー版１）の内容が示されている。例えば、表面効果が鏡面光沢である場合、クリアトナー版１は、インバースマスクを表すものであることが示されている。当該インバースマスクは、例えば上述した式１により求められるものである。但し、本実施形態の構成においては、表面効果として鏡面効果を実現することができないため、表面効果として鏡面効果が指定された領域に対して、表面効果選択テーブルに示されるインバースマスクが用いられてクリアトナーが付着されても、結果的に得られる表面効果は、ベタ光沢となる。また、表面効果としてつや消しを実現することができないため、つや消しについては、ＤＦＥ２０がクリアトナー版の画像データが生成することなく、結果的に、代替の表面効果として網点マットが得られる可能性がある。図１１は、本実施形態において指定された表面効果の種類と、プリンタ機４０で用いられるクリアトナー版の画像データ（Ｃｌｒ−１）と、実際に得られる表面効果との対比を示す図である。
【００５６】
クリアトナー版生成部３０４は、表面効果選択テーブルを参照して、８ビットの光沢制御版の画像データの各画素のうち、濃度値が「２３８」〜「２５５」である画素に対して指定された表面効果は鏡面光沢であると判断する。例えば濃度値が「２４８」〜「２５５」である画素に対して指定された表面効果は、「鏡面光沢タイプＡ」であると判断する。説明の便宜上、光沢制御版データのうち鏡面光沢タイプＡが指定された領域をタイプＡ領域と呼ぶ。この場合、クリアトナー版生成部３０４は、ガンマ補正後のＣＭＹＫの各８ビットの画像データのうちタイプＡ領域に対応する画像データを用いて、光沢制御版データのタイプＡ領域内の各画素の濃度値を、インバースマスクＡで表される濃度値に変換する処理（インバースマスク処理）を行う。図１１ではＩＮＶと記載している。これにより、光沢制御版データのタイプＡ領域に対応する画像データは、８ビットのクリアトナー版の画像データに変換される。クリアトナー生成部３０４は、ハーフトーン処理を行うことで、光沢制御版データのタイプＡ領域に対応する画像データを、２ビットのクリアトナー版の画像データに変換する。
【００５７】
また、図１０の例では、表面効果がベタ光沢である場合、プリンタ機４０で用いるクリアトナー版の画像データは、インバースマスクｍであることが示されている。尚、当該インバースマスクｍは、上記式１〜式４の何れかの式により表されるものであればよい。クリアトナー版生成部３０４は、表面効果選択テーブルを参照して、８ビットの光沢制御版の各画素のうち、濃度値が「２１２」〜「２３２」である画素に対して指定された表面効果はベタ光沢であると判断する。例えば濃度値が「２２８」〜「２３２」である画素に対して指定された表面効果は、「ベタ光沢タイプ１」であると判断する。説明の便宜上、光沢制御版のうちベタ光沢タイプ１が指定された領域をタイプ１領域と呼ぶ。この場合、クリアトナー版生成部３０４は、ガンマ補正後のＣＭＹＫの各８ビットの画像データのうちタイプ１領域に対応する画像データを用いて、光沢制御版データのタイプ１領域内の各画素の濃度値を、インバースマスクｍで表される濃度値に変換する処理を行う。図１１では、ＩＮＶ−ｍと記載している。これにより、光沢制御版データのタイプ１領域に対応する画像データは、８ビットのクリアトナー版の画像データに変換される。クリアトナー版生成部３０４は、ハーフトーン処理を行うことで、光沢制御版データのタイプ１領域に対応する画像データを、２ビットのクリアトナー版の画像データに変換する。
【００５８】
また、図１０の例では、表面効果が網点マットである場合、プリンタ機４０で用いるクリアトナー版の画像データは、ハーフトーン（網点）を表すものであることが示されている。図１１では、ｈａｌｆｔｏｎｅ−ｎと記載している。クリアトナー版生成部３０４は、表面効果選択テーブルを参照して、８ビットの光沢制御版データの各画素のうち、濃度値が「２３」〜「４３」である画素に対して指定された表面効果は網点マットであると判断する。例えば濃度値が「２３」〜「２８」である画素に対して指定された表面効果は、「網点マットタイプ１」であると判断する。説明の便宜上、光沢制御版データのうち網点マットタイプ１が指定された領域をマット１領域と呼ぶ。この場合、クリアトナー版生成部３０４は、光沢制御版データのマット１領域に対応する画像データを、網点マットタイプ１に対応するハーフトーン１を表す画像データに変換する。これにより、光沢制御版データのマット１領域に対応する画像データは、２ビットのクリアトナー版の画像データに変換される。
【００５９】
また、図１０の例では、表面効果がつや消しである場合、プリンタ機４０で用いるクリアトナー版１の画像データは、ないことが示されている。図１１では、ｎｏ  ｄａｔａと記載している。
【００６０】
さらに、図１０の例では、濃度値が「１２６」〜「２０６」に対応する効果はユーザ定義である。ＤＦＥ２０に個別の効果を設定したい場合は、このデータ領域を用いることができる。本実施形態では、このデータ領域を、印刷単位を示すページ内にウォーターマークをパターンで繰り返す場合やページの一面にわたってウォーターマークを適用する場合などに利用する。なお、前述の「地紋」もウォーターマークの一種でパターンの繰り返しであるが、「格子」や「波」など繰り返すデータが予め決められているため、それとは別に用意する。
【００６１】
図１０の例では、濃度値が「１２６」〜「１３０」の場合、対応する効果は「ユーザ定義０１」である。この例では、「ユーザ定義０１」とは、ページ内にウォーターマークがパターンで繰り返し展開されることを指し、プリンタ機４０で用いるクリアトナー版の画像データ（クリアトナー版１）はパターン１であることが示されている。この例では、ユーザ定義０１が指定される領域は、画像データによって規定される領域全体に相当するが、これに限られるものではない。
【００６２】
クリアトナー版生成部３０４は、表面効果選択テーブルを参照して、入力された８ビットの光沢制御版の画像データの各画素の濃度値に、「ユーザ定義０１」に対応する濃度値「１２６」〜「１３０」の画素が含まれていると判断した場合、パターンデータ記憶部３０３から、パターン１に対応するパターン画像を読み出す。図１２は、パターン１に対応するパターン画像の一例を示す図である。パターン１に対応するパターン画像は２ビットで表現され、そのサイズは、画像データによって規定される領域全体のサイズよりも小さい。この例では、１つのパターン画像のサイズは、画像データによって規定される領域全体のサイズの１／７０に設定されているが、これに限られるものではない。そして、クリアトナー版生成部３０４は、パターン１に対応するパターン画像を繰り返し展開して、２ビットのクリアトナー版の画像データを生成する。より具体的には、クリアトナー版生成部３０４は、パターン１に対応するパターン画像のサイズの仮想ブロックで、入力された光沢制御版の画像データを分割し、分割した各領域にパターン画像を割り当てた場合における各画素の濃度値を求める処理（「タイル処理」）を実行する。これにより、８ビットの光沢制御版の画像データは、２ビットのクリアトナー版の画像データに変換される。この２ビットのクリアトナー版の画像データは、ページ内に繰り返し表示される透明のパターン画像を特定するクリアトナー版データであると捉えることもできる。図１３は、上記タイル処理により生成された２ビットのクリアトナー版の画像データの一例を示す図である。
【００６３】
また、図１０の例では、濃度値が「１３１」〜「１３５」の場合、対応する効果は「ユーザ定義０２」である。この例では、「ユーザ定義０２」とは、ページの一面にわたってウォーターマークが適用されることを指し、プリンタ機４０で用いるクリアトナー版の画像データ（クリアトナー版１）はパターン２であることが示されている。この例では、ユーザ定義０２が指定される領域は、画像データによって規定される領域全体（光沢制御版の画像データによって規定される領域全体）に相当するが、これに限られるものではない。
【００６４】
クリアトナー版生成部３０４は、表面効果選択テーブルを参照して、入力された８ビットの光沢制御版の画像データの各画素の濃度値に、「ユーザ定義０２」に対応する濃度値「１３１」〜「１３５」の画素が含まれていると判断した場合、パターンデータ記憶部３０３から、パターン２に対応するパターン画像を読み出す。図１４は、パターン２に対応するパターン画像の一例を示す図である。パターン２に対応するパターン画像は２ビットで表現され、そのサイズは、画像データによって規定される領域全体のサイズと同じである。そして、クリアトナー版生成部３０４は、光沢制御版の画像データを、パターン２に対応するパターン画像に置き換えて、ウォーターマークが一面にわたって適用される場合の２ビットのクリアトナー版の画像データを生成する。この２ビットのクリアトナー版の画像データは、ページの一面にわたって表示される透明画像を特定するクリアトナー版データであると捉えることもできる。なお、この例では、ユーザ定義０２が指定される領域は、光沢制御版の画像データによって規定される領域全体であるが、これに限らず、例えばユーザ定義０２が指定される領域が、光沢制御版の画像データのうちの一部の領域（「指定領域」と呼ぶ）であってもよい。この場合は、クリアトナー版生成部３０４は、タイル処理を実行することにより、光沢制御版の画像データをパターン２に対応するパターン画像に置き換えた場合における、指定領域内の各画素の濃度値（２ビット）を求める。
【００６５】
図１５は、パターンデータ記憶部３０３のデータ構成を例示する図である。図１５に示すように、パターンデータ記憶部３０３は、パターンの種別と、パターン画像とを対応付けて記憶する。
【００６６】
図９に戻って説明を続ける。光沢制御版解析部３０５は、光沢制御版の画像データに設定された濃度値に基づいて、ページの一面にわたって表示される透明画像を特定するクリアトナー版データが生成されるのか、ページ内に繰り返し表示される透明のパターン画像を特定するクリアトナー版データが生成されるのかを解析する。より具体的には、光沢制御版解析部３０５は、表面効果選択テーブルを参照して、入力された光沢制御版の画像データの各画素の濃度値に、「ユーザ定義０１」または「ユーザ定義０２」に対応する濃度値が含まれるかどうかを解析し、解析結果をカウンタ値算出部２０９へ出力する。
【００６７】
カラー／白黒判定部２０８は、有色版の画像データの画素から、ページごとにカラー画像か白黒画像かを判定する。
【００６８】
カウンタ値算出部２０９は、ページの一面にわたって表示される透明画像を特定するクリアトナー版データが生成される回数を示す第１の回数、および、ページ内に繰り返し表示される透明のパターン画像を特定するクリアトナー版データが生成される回数を示す第２の回数を個別に算出する。より具体的には、以下のとおりである。本実施形態のカウンタ値算出部２０９は、ウォーターマーク一面カウンタ３１１と、ウォーターマークパターンカウンタ３１２と、カラーカウンタ３１３と、白黒カウンタ３１４とを備えている。本実施形態のカウンタ値算出部２０９は、請求項の「算出手段」に対応する。
【００６９】
ウォーターマーク一面カウンタ３１１は、光沢制御版解析部３０５の解析結果により、光沢制御版の画像データの各画素の濃度値に、ユーザ定義０２に対応する濃度値の画素が存在する場合は、カウンタ値をカウントアップする。このカウントアップは、ページ単位で行われる。見方を変えれば、ウォーターマーク一面カウンタ３１１は、ページの一面にわたってウォーターマークが適用されるクリアトナー版データが生成される回数をカウントする。すなわち、ウォーターマーク一面カウンタ３１１は、ページの一面にわたって表示される透明画像を特定するクリアトナー版データが生成される回数を示す第１の回数をカウントすると捉えることができる。
【００７０】
ウォーターマークパターンカウンタ３１２は、光沢制御版解析部３０５の解析結果により、光沢制御版の画像データの各画素の濃度値に、ユーザ定義０１に対応する濃度値の画素が存在する場合は、カウンタ値をカウントアップする。このカウントアップは、ページ単位で行われる。見方を変えれば、ウォーターマークパターンカウンタ３１２は、ページ内にウォーターマークがパターンで繰り返し展開されるクリアトナー版データが生成される回数をカウントする。すなわち、ウォーターマークパターンカウンタ３１２は、ページ内に繰り返し表示される透明のパターン画像を特定するクリアトナー版データが生成される回数を示す第２の回数をカウントすると捉えることができる。
【００７１】
カラーカウンタ３１３は、カラー／白黒判定部２０８によりページがカラー画像であると判定された場合に、カウンタ値をカウントアップする。白黒カウンタ３１４は、カラー／白黒判定部２０８によりページが白黒画像であると判定された場合に、カウンタ値をカウントアップする。
【００７２】
課金処理部２１０は、カウンタ値算出部２０９で算出されたカウンタ値に基づいて課金処理を行う。なお、課金処理部２１０は、ＤＦＥ２０以外の装置に設ける構成としてもよい。
【００７３】
図１のＭＩＣ３０は、ＤＦＥ２０とプリンタ機４０とに接続され、ＤＦＥ２０から出力された画像データ（ハーフトーン処理後のＣＭＹＫの各２ビットの画像データと、クリアプロセッシング２０６が生成した２ビットのクリアトナー版の画像データとを統合した画像データ）をプリンタ機４０へ出力する。プリンタ機４０は、ＭＩＣ３０から出力された画像データを用いて、露光器から光ビームを照射して各トナーに応じたトナー像を感光体上に形成してこれを記録媒体に転写しこれを通常温度での加熱および加圧により定着させる。これにより、記録媒体に、ＣＭＹＫのトナーの他クリアトナーが付着されて画像が形成される。
【００７４】
次に、本実施形態に係る印刷制御システム１が行う光沢制御処理の手順について図１６を用いて説明する。ＤＦＥ２０がホスト装置１０から画像データを受信すると（ステップＳ１）、レンダリングエンジン２０１は、これを言語解釈して、ベクタ形式で表現される画像データをラスタ形式に変換すると共に、ＲＧＢ形式で表現された色空間をＣＭＹＫ形式の色空間に変換して、ＣＭＹＫの色版の各８ビットの画像データ及び８ビットの光沢制御版を得る（ステップＳ２）。
【００７５】
ここで、ステップＳ２における、光沢制御版の画像データの変換処理の詳細について説明する。図１７は、光沢制御版の画像データの変換処理の手順を示すフローチャートである。この変換処理では、描画オブジェクトごとに表面効果を特定する濃度値が指定された光沢制御版の画像データを、描画オブジェクトを構成する画素ごとに濃度値が指定された光沢制御版の画像データに変換する。
【００７６】
レンダリングエンジン２０１は、図７で示される光沢制御版の描画オブジェクトに対応する座標の範囲の画素に対して、描画オブジェクトに対して設定された濃度値を付与することにより（ステップＳ４１）、光沢制御版の画像データを変換する。そして、かかる処理を光沢制御版の画像データに存在する全ての描画オブジェクトに対して完了したか否かを判断する（ステップＳ４２）。
【００７７】
そして、レンダリングエンジン２０１は、まだ完了していない場合には（ステップＳ４２：Ｎｏ）、光沢制御版の画像データの中でまだ未処理の次の描画オブジェクトを選択し（ステップＳ４４）、ステップＳ４１の処理を繰り返す。
【００７８】
一方、ステップＳ４２において、光沢制御版の画像データ中の全ての描画オブジェクトに対してステップＳ４１の処理を完了している場合には（ステップＳ４２：Ｙｅｓ）、変換された光沢制御版の画像データを出力する（ステップＳ４３）。以上の処理により、光沢制御版の画像データは、画素ごとに表面効果が設定されたデータに変換されることになる。
【００７９】
図１６に戻り、８ビット光沢制御版の画像データが出力されたら、ＤＦＥ２０のカラープロセッシング２０３は、ＣＭＹＫの色版の各８ビットの画像データに対してキャリブレーションにより生成された１Ｄ＿ＬＵＴのガンマカーブでガンマ補正を行い、ハーフトーンエンジン２０５はガンマ補正後の画像データに対して、プリンタ機４０に出力するためのＣＭＹＫ各２ビットの画像データのデータ形式に変換するハーフトーン処理を行い、ハーフトーン処理後のＣＭＹＫの各２ビットの画像データを得る（ステップＳ３）。
【００８０】
また、ＤＦＥ２０のクリアプロセッシング２０６は、８ビットの光沢制御版の画像データを用いて、表面効果選択テーブルを参照して、光沢制御版によって示される各画素値に対して指定された効果（表面効果やユーザ定義など）を判断する。そして、クリアプロセッシング２０６は、光沢制御版の画像データを構成する全ての画素について、このような判断を行う。尚、光沢制御版においては、各表面効果などの効果を与える領域を構成する全ての画素について基本的に同一の範囲の濃度値を表す。このため、同一の効果であると判断した近傍の画素については、クリアプロセッシング２０６は、同一の効果を与える領域に含まれるものとして判断する。このようにして、クリアプロセッシング２０６は、表面効果などの効果を与える領域と、当該領域に対して与える効果の種類とを判断する。そして、クリアプロセッシング２０６は、当該判断に応じて、２ビットのクリアトナー版の画像データを生成する（ステップＳ４）。
【００８１】
次に、ＤＦＥ２０のｓｉ３部２０７は、ステップＳ３で得たハーフトーン処理後のＣＭＹＫの各２ビットの画像データと、ステップＳ４で生成した２ビットのクリアトナー版の画像データとを統合し、統合した画像データをＭＩＣ３０に対して出力する（ステップＳ５）。
【００８２】
尚、ステップＳ４で、クリアプロセッシング２０６は、クリアトナー版の画像データを生成していない場合には、ステップＳ５では、ステップＳ３で得たハーフトーン処理後のＣＭＹＫの各２ビットの画像データのみがＭＩＣ３０に出力される。
【００８３】
次に、本実施形態のＤＦＥ２０によるカウント処理について説明する。図１８は、カウント処理の一例を示すフローチャートである。
【００８４】
以下のステップＳ１１からステップＳ１７までの処理は、ひとつの印刷ジョブに含まれる全てのページに対してページごとに繰り返し実行される。まず、カラー／白黒判定部２０８は、有色版の画像データの画素からカラー画像か白黒画像かを判定する（ステップＳ１１）。そして、この判定結果に応じてカラーカウンタ３１３または白黒カウンタ３１４のカウンタ値をカウントアップする（ステップＳ１２）。
【００８５】
次に、光沢制御版解析部３０５は、表面効果選択テーブルを参照して、入力された光沢制御版の画像データの各画素の濃度値に、「ユーザ定義０１」に対応する濃度値が含まれるかどうかを解析する（ステップＳ１３）。
【００８６】
「ユーザ定義０１」に対応する濃度値が含まれると解析された場合（ステップＳ１３の結果：ＹＥＳの場合）、ウォーターマークパターンカウンタ３１２は、カウンタ値を「１」だけカウントアップする（ステップＳ１４）。なお、カウントアップする値は「１」に限らず、任意に設定可能である。一方、「ユーザ定義０１」に対応する濃度値が含まれていないと解析された場合（ステップＳ１３の結果：ＮＯの場合）、光沢制御版解析部３０５は、表面効果選択テーブルを参照して、入力された光沢制御版の画像データの各画素の濃度値に、「ユーザ定義０２」に対応する濃度値が含まれるかどうかを解析する（ステップＳ１５）。
【００８７】
「ユーザ定義０２」に対応する濃度値が含まれると解析された場合（ステップＳ１５の結果：ＹＥＳの場合）、ウォーターマーク一面カウンタ３１１は、カウンタ値を「１」だけカウントアップする（ステップＳ１６）。なお、カウントアップする値（カウント単位）は「１」に限らず、任意に設定可能である。一方、「ユーザ定義０２」に対応する濃度値が含まれていないと解析された場合（ステップＳ１５の結果：ＮＯの場合）、光沢制御版解析部３０５は、カウント対象は無いと判断し（ステップＳ１７）、処理を終了する。この場合、ウォーターマーク一面カウンタ３１１、および、ウォーターマークパターンカウンタ３１２の何れのカウンタ値も、カウントアップされない。
【００８８】
以上に説明したように、本実施形態では、カウンタ値算出部２０９は、ページの一面にわたってウォーターマークが適用されるクリアトナー版データが生成される回数（第１の回数）、および、ページ内にウォーターマークのパターンが繰り返し展開されるクリアトナー版データが生成される回数（第２の回数）を、ページ単位で個別に算出するので、ウォーターマーク効果の種別ごとに利用度を把握することができる。このため、製品の機器開発担当部門においては、ウォーターマーク効果の種別ごとの利用度を、機器で提供されている機能の利用状況の分析に利用することができ、次期商品開発への有益な情報とすることができる。また、機器利用者側においては運用上課金を行う場合、その利用に応じたきめ細かい設定をすることができる。
【００８９】
なお、本実施形態では、印刷データにクリア版データが含まれない場合を例に挙げて説明したが、例えば印刷データにクリア版データが含まれる場合、ウォーターマーク一面カウンタ３１１は、カウンタ値をカウントアップする構成であってもよい。このカウントアップもページ単位で行われる。例えば、印刷データにクリア版データが含まれ、かつ、光沢制御版の画像データの各画素の濃度値に、「ユーザ定義０２」に対応する濃度値が含まれる場合、ウォーターマーク一面カウンタ３１１は、カウンタ値を「２」だけカウントアップする構成であってもよい。また、例えば印刷データにクリア版データが含まれ、かつ、光沢制御版の画像データの各画素の濃度値に、「ユーザ定義０２」に対応する濃度値が含まれずに「ユーザ定義０１」に対応する濃度値が含まれる場合、ウォーターマーク一面カウンタ３１１およびウォーターマークパターンカウンタ３１２は、カウンタ値を「１」ずつカウントアップする構成であってもよい。
【００９０】
（第２実施形態）
次に、第２実施形態を説明する。第２実施形態では、カウンタ値算出部は、有色版データが生成されずに、クリアトナー版データのみが生成される回数を示す第３の回数を、第１の回数および第２の回数とは別に算出する機能をさらに有する点で上述の第１実施形態と相違する。以下、具体的な内容を説明する。なお、上述の第１実施形態と共通する部分については、同一の符号を付して適宜に説明を省略する。
【００９１】
図１９は、第２実施形態のカウンタ値算出部２０９０の構成例を示す図である。図１９に示すように、カウンタ値算出部２０９０は、ウォーターマークオンリーカウンタ３１５をさらに備える点で上述の第１実施形態と相違する。ウォーターマークオンリーカウンタ３１５は、有色版データが生成されずに、クリアトナー版データのみが生成される場合、つまり、レンダリングエンジン２０１が、ＣＭＹＫの色版の各８ビットの画像データを出力せずに、８ビットの光沢制御版の画像データのみを出力する場合（ＤＦＥ２０に入力される印刷データに有色版データが含まれない場合）に、カウンタ値をカウントアップする。ウォーターマーク一面カウンタ３１１およびウォーターマークパターンカウンタ３１２と同様に、ウォーターマークオンリーカウンタ３１５のカウントアップは、ページ単位で行われる。
【００９２】
次に、第２実施形態のカウント処理について説明する。図２０は、第２実施形態のカウント処理の一例を示すフローチャートである。白紙印刷である場合（ステップＳ２１の結果：ＹＥＳの場合）、つまり、印刷データに有色版データが含まれない場合、ウォーターマークオンリーカウンタ３１５は、カウンタ値を「１」だけカウントアップする（ステップＳ２２）。なお、カウントアップする値は「１」に限らず、任意に設定可能である。そして、処理は、ステップＳ２３に移行する。ステップＳ２３〜ステップＳ２７の処理内容は、図１８のステップＳ１３〜ステップＳ１７の処理内容と同様なので、詳細な説明は省略する。
【００９３】
一方、白紙印刷ではない場合（ステップＳ２１の結果：ＮＯの場合）、つまり、印刷データに有色版データが含まれる場合は、ウォーターマークオンリーカウンタ３１５は、カウンタ値をカウントアップしない（ステップＳ２８）。そして、処理は、ステップＳ２９に移行する。ステップＳ２９およびステップＳ３０の処理内容は、図１８のステップＳ１１およびステップＳ１２の処理内容と同様なので、詳細な説明は省略する。ステップＳ３０の後、ステップＳ２３〜ステップＳ３０の処理が行われる。
【００９４】
以上に説明したように、本実施形態では、カウンタ値算出部２０９０は、有色版データが生成されずに、クリアトナー版データのみが生成される回数を示す第３の回数を、第１の回数および第２の回数とは別に算出する機能を有するので、ウォーターマーク効果の種別ごとの利用度とは別に、無色の透明画像の印刷回数を把握することができる。
【００９５】
（第３実施形態）
上述の各実施形態では、ホスト装置１０で印刷データを生成し、ＤＦＥ２０にクリアプロセッシング２０６を設けてＤＦＥ２０で、クリアトナー版データの生成処理を行うように構成したが、これに限定されるものではない。
【００９６】
すなわち、一の装置で行っていた複数の処理のいずれかを、一の装置とネットワークを介して接続する１以上の他の装置で行う構成にしてもよい。
【００９７】
その一例として、第３実施形態の印刷制御システムでは、ＤＥＦの機能の一部を、ネットワーク上のサーバ装置上に実装している。
【００９８】
図２１は、本実施形態の印刷制御システムの構成を例示する図である。図２１に示すように、本実施形態の印刷制御システムは、ホスト装置４９と、ＤＦＥ３０５０と、ＭＩＣ３０と、プリンタ機４０と、を備えている。
【００９９】
本実施の形態では、ＤＦＥ３０５０がインターネット等のネットワークを介して、サーバ装置３０６０と接続された構成となっている。また、本実施形態では、第１実施形態のＤＦＥ２０のクリアプロセッシング２０６、カウンタ値算出部２０９、カラー／白黒判定部２０８、課金処理部２１０の機能を、サーバ装置３０６０に設けた構成となっている。
【０１００】
ここで、ホスト装置４９、ＤＦＥ３０５０、ＭＩＣ３０、及びプリンタ機４０の接続構成は、第１実施形態と同様である。
【０１０１】
すなわち、具体的には、第３実施形態では、ＤＦＥ３０５０がインターネット等のネットワーク（クラウド）を介して、単一のサーバ装置３０６０に接続し、サーバ装置３０６０は、第１実施形態のＤＦＥ２０のクリアプロセッシング２０６の機能を設け、サーバ装置３０６０で、クリアトナー版データの生成処理を行うように構成している。
【０１０２】
まず、サーバ装置３０６０について説明する。図２２は、第３実施形態にかかるサーバ装置３０６０の機能的構成を示すブロック図である。サーバ装置３０６０は、記憶部３０７０と、クリアプロセッシング２０６と、カラー／白黒判定部２０８と、カウンタ値算出部２０９と、課金処理部２１０と、を主に備えている。クリアプロセッシング２０６、カラー／白黒判定部２０８、カウンタ値算出部２０９、および、課金処理部２１０の機能は、上述の第１実施形態のＤＦＥ２０とほぼ同様である。
【０１０３】
記憶部３０７０は、ＨＤＤやメモリ等の記憶媒体であり、前述の光沢制御版記憶部３０１、表面効果選択テーブル記憶部３０２、パターンデータ記憶部３０３などが含まれている。通信部３０６５は、ＤＦＥ３０５０との間で各種データや要求の送受信を行う。より具体的には、通信部３０６５は、ＤＦＥ３０５０から、光沢制御版データ等を受信する。なお、光沢制御版データは、上記実施形態と同様である。また、通信部３０６５は、生成したクリアトナー版データをＤＦＥ３０５０へ送信する。
【０１０４】
次に、ＤＦＥ３０５０について説明する。図２３は、第３実施形態のＤＦＥ３０５０の機能的構成を示すブロック図である。ＤＦＥ３０５０は、レンダリングエンジン２０１と、ｓｉ１部３０５２と、カラープロセッシング２０３と、ｓｉ２部３０５４と、ハーフトーンエンジン２０５と、ｓｉ３部３０５７と、を主に備えている。ここで、レンダリングエンジン２０１、カラープロセッシング２０３、ハーフトーンエンジン２０５、の機能は第１実施形態のＤＦＥ２０と同様である。
【０１０５】
ｓｉ１部３０５２は、ＣＭＹＫの各８ビットの有色版データをカラープロセッシング２０３に出力し、８ビットの光沢制御版データを、図示を省略するインターフェースを介してサーバ装置３０６０へ出力する。
【０１０６】
ｓｉ２部３０５４は、カラープロセッシング２０３でガンマ補正されたＣＭＹＫの各８ビットの有色版データを、インバースマスクを生成するためのデータとしてサーバ装置３０６０へ出力する。また、ｓｉ２部３０５４は、ガンマ補正後のＣＭＹＫの各８ビットの有色版データをハーフトーンエンジン２０５に出力する。
【０１０７】
また、ｓｉ３部３０５７は、ハーフトーン処理後のＣＭＹＫの各２ビットの有色版データと、図示を省略するインターフェースを介してサーバ装置３０６０から受信した２ビットのクリアトナー版データとを統合し、統合した画像データをＭＩＣ３０に出力する。
【０１０８】
次に、本実施の形態に係る画像形成システムが行う光沢制御処理の手順について図２４を用いて説明する。
【０１０９】
ＤＦＥ２０がホスト装置４９から印刷データを受信すると（ステップＳ３６０１）、レンダリングエンジン２０１は、これを言語解釈して、ベクタ形式で表現される光沢制御版の画像データをラスタ形式に変換すると共に、ＲＧＢ形式で表現された色空間をＣＭＹＫ形式の色空間に変換して、ＣＭＹＫの色版の各８ビットの有色版データ及び８ビットの光沢制御版データを得る（ステップＳ３６０２）。
【０１１０】
次に、８ビットの光沢制御版データが出力されたら、ＤＦＥ３０５０のカラープロセッシング２０３は、ＣＭＹＫの有色版の各８ビットの画像データに対してキャリブレーションにより生成された１Ｄ＿ＬＵＴのガンマカーブでガンマ補正を行い、ハーフトーンエンジン２０５はガンマ補正後の画像データに対して、プリンタ機４０に出力するためのＣＭＹＫ各２ビットの画像データのデータ形式に変換するハーフトーン処理を行い、ハーフトーン処理後のＣＭＹＫの各２ビットの画像データを得る（ステップＳ３６０３）。
【０１１１】
そして、ｓｉ２部３０５４は、８ビットの光沢制御版データ、および、ガンマ補正後のＣＭＹＫの各８ビットの有色版データとともに、クリアトナー版データの生成要求を、サーバ装置３０６０に送信する（ステップＳ３６０４）。
【０１１２】
ここで、サーバ装置３０６０によるクリアトナー版の生成処理について説明する。図２５は、サーバ装置３０６０によるクリアトナー版の生成処理の手順を示すフローチャートである。
【０１１３】
サーバ装置３０６０では、通信部３０６５が、ＤＦＥ３０５０から８ビット光沢制御版の画像データ、および、ＣＭＹＫの有色版の各８ビットの画像データと、クリアトナー版の生成要求とを受信する（ステップＳ３７０１）。
【０１１４】
そして、クリアプロセッシング２０６は、８ビットの光沢制御版の画像データを用いて、記憶部３０７０の表面効果選択テーブルを参照して、光沢制御版の画像データによって示される各画素値に対して指定された効果（表面効果、ユーザ定義により指定される効果）を判断する。そして、クリアプロセッシング２０６は、光沢制御版データを構成する全ての画素について、このような判断を行う。このようにして、クリアプロセッシング２０６は、表面効果を与える領域と、当該領域に対して与える表面効果の種類とを判断する（ステップＳ３７０２）。そして、クリアプロセッシング２０６は、上記判断に応じて、２ビットのクリアトナー版の画像データを生成する（ステップＳ３７０３）。クリアトナー版の画像データの生成処理は、上述の第１実施形態と同様である。
【０１１５】
通信部３０６５は、クリアプロセッシング２０６で生成された２ビットのクリアトナー版の画像データを、ＤＦＥ３０５０に送信する（ステップＳ３７０４）。
【０１１６】
なお、上述のステップＳ３７０１において、通信部３０６５が、ＤＦＥ３０５０から８ビット光沢制御版の画像データ、および、ＣＭＹＫの有色版の各８ビットの画像データと、クリアトナー版の生成要求とを受信した場合、サーバ装置３０６０が、カウント処理を実行する構成であってもよい。このカウント処理の内容は、第１実施形態または第２実施形態のカウント処理の内容と同様である。
【０１１７】
図２４に戻り、ＤＦＥ３０５０は、クリアトナー版の生成要求をサーバ装置３０６０に送信した後、ｓｉ３部３０５７がサーバ装置３０６０から、２ビットのクリアトナー版の画像データを受信する（ステップＳ３６０５）。
【０１１８】
そして、Ｓｉ３部３０５７は、ステップＳ３６０３で得たハーフトーン処理後のＣＭＹＫの各２ビットの画像データと、ステップＳ３６０５で受信した２ビットのクリアトナー版の画像データとを統合し、統合した画像データをＭＩＣ３０に対して出力する（ステップＳ３６０６）。
【０１１９】
尚、サーバ装置３０６０でクリアトナー版の画像データを生成していない場合には、ステップＳ３６０６では、ステップＳ３６０３で得たハーフトーン処理後のＣＭＹＫの各２ビットの画像データのみが統合されてＭＩＣ６０に出力される。
【０１２０】
このように本実施形態では、クリアプロセッシングの機能を、サーバ装置３０６０に設けた構成とし、クリアトナー版データの生成を、クラウド上のサーバ装置３０６０で行っている。このため、複数のＤＦＥ３０５０が存在する場合でも、クリアトナー版データの生成を一括して行うことができ、管理者の便宜となる。また、本実施形態では、カウンタ値算出部の機能を、サーバ装置３０６０に設けた構成とし、カウント処理を、クラウド上のサーバ装置３０６０で行っている。複数のＤＦＥ３０５０が存在する場合でも、カウント処理を一括して行うことができ、管理者の便宜となる。
【０１２１】
なお、本実施の形態では、クラウド上の単一のサーバ装置３０６０に、クリアプロセッシングの機能およびカウンタ値算出部の機能を設け、サーバ装置３０６０で、クリアトナー版データの生成およびカウント処理を行うように構成したが、これに限定されるものではない。
【０１２２】
例えば、クラウド上に２以上のサーバ装置を設け、上記処理を、２以上のサーバ装置で分散させて実行するように構成してもよい。図２６は、クラウド上に２つのサーバ（第１サーバ装置３８６０と第２サーバ装置３８６１）を設けたネットワーク構成図である。図２６の例では、第１サーバ装置３８６０と第２サーバ装置３８６１とで、クリアトナー版データの生成処理やカウント処理を分散して行うように構成する。
【０１２３】
なお、各処理の各サーバ装置への分散の形態はこれに限定されるものではなく、任意に行うことができる。
【０１２４】
また、ホスト装置４９で行う印刷データ生成処理や、ＤＦＥ３０５０で行うその他の処理の一部または全部をクラウド上の１つのサーバ装置に集中して設けたり、複数のサーバ装置に分散させて設けたりすることは任意に行うことができる。
【０１２５】
言い換えると、上述の例のように、一の装置で行っていた複数の処理のいずれかを、一の装置とネットワークを介して接続する１以上の他の装置で行う構成にすることができる。
【０１２６】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０１２７】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０１２８】
また、第３実施形態では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０１２９】
なお、本発明は、上記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０１３０】
図２７は、本実施形態のＤＦＥ２０、３０５０や、サーバ装置３０６０、第１サーバ装置３８６０、第２サーバ装置３８６１のハードウェア構成例を示すブロック図である。本実施形態のＤＦＥ２０、３０５０や、サーバ装置３０６０、第１サーバ装置３８６０、第２サーバ装置３８６１は、ＣＰＵなどの制御装置１０１０と、ＲＯＭ（Ｒｅａｄ  Ｏｎｌｙ  Ｍｅｍｏｒｙ）やＲＡＭなどの主記憶装置１０２０と、ＨＤＤ、ＣＤドライブ装置などの補助記憶装置１０３０と、ディスプレイ装置などの表示装置１０４０と、キーボードやマウスなどの入力装置１０５０と、を備えており、通常のコンピュータを利用したハードウェア構成となっている。
【０１３１】
本実施形態のＤＦＥ２０、３０５０や、サーバ装置３０６０、第１サーバ装置３８６０、第２サーバ装置３８６１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１３２】
また、本実施形態のＤＦＥ２０、３０５０や、サーバ装置３０６０、第１サーバ装置３８６０、第２サーバ装置３８６１で実行されるプログラムを、インターネット等のネットワークに接続されたコンピュータ上に格納し、ネットワーク経由でダウンロードさせることにより提供するように構成してもよい。また、本実施形態のＤＦＥ２０、３０５０や、サーバ装置３０６０、第１サーバ装置３８６０、第２サーバ装置３８６１で実行されるプログラムをインターネット等のネットワーク経由で提供または配布するように構成しても良い。また、本実施形態のＤＦＥ２０、３０５０や、サーバ装置３０６０、第１サーバ装置３８６０、第２サーバ装置３８６１で実行される制御プログラムを、ＲＯＭ等に予め組み込んで提供するように構成してもよい。
【０１３３】
本実施形態のＤＦＥ２０、３０５０や、サーバ装置３０６０、第１サーバ装置３８６０、第２サーバ装置３８６１で実行されるプログラムは、上述した各部を含むモジュール構成となっており、実際のハードウェアとしてはＣＰＵ（プロセッサ）が上記記憶媒体から制御プログラムを読み出して実行することにより上記各部が主記憶装置上にロードされ、上記各部が主記憶装置上に生成されるようになっている。
【０１３４】
上述した各実施形態の印刷制御システムにおいては、後処理機が設けられない構成であるが、これに限らず、例えばグロッサーなどの後処理機が設けられる構成であってもよい。また、上述した各実施形態の印刷制御システムにおいては、ＣＭＹＫの複数の色のトナーを用いて画像を形成するようにしたが、１色のトナーを用いて画像を形成するようにしても良い。
【０１３５】
なお、上述した各実施形態の印刷制御システムは、ＭＩＣ３０を備えた構成としているが、これに限定されるものではない。上述したＭＩＣ３０が行う処理、機能をＤＦＥ２０等の他の装置にもたせて、ＭＩＣ３０を設けない構成としてもよい。
【符号の説明】
【０１３６】
１０  ホスト装置
２０  ＤＦＥ
３０  ＭＩＣ
４０  プリンタ機
４９  ホスト装置
１００  画像形成装置
２０１  レンダリングエンジン
２０２  ｓｉ１部
２０３  カラープロセッシング
２０４  ｓｉ２部
２０５  ハーフトーンエンジン
２０６  クリアプロセッシング
２０７  ｓｉ３部
２０８  カラー／白黒判定部
２０９  カウンタ値算出部
２１０  課金処理部
３０１  光沢制御版記憶部
３０２  表面効果選択テーブル記憶部
３０３  パターンデータ記憶部
３０４  クリアトナー版生成部
３０５  光沢制御版解析部
３１１  ウォーターマーク一面カウンタ
３１２  ウォーターマークパターンカウンタ
３１３  カラーカウンタ
３１４  白黒カウンタ
３１５  ウォーターマークオンリーカウンタ
１０１０  制御装置
１０２０  主記憶装置
１０３０  補助記憶装置
１０４０  表示装置
１０５０  入力装置
２０９０  カウンタ値算出部
３０５２  ｓｉ１部
３０５４  ｓｉ２部
３０５７  ｓｉ３部
３０６０  サーバ装置
３０６５  通信部
３０７０  記憶部
３８６０  第１サーバ装置
３８６１  第２サーバ装置
【先行技術文献】
【特許文献】
【０１３７】
【特許文献１】特開２０１０−２０５７８号公報
【図１】
0005978726.tif 000002
【図２】
0005978726.tif 000003
【図３】
0005978726.tif 000004
【図４】
0005978726.tif 000005
【図５】
0005978726.tif 000006
【図６】
0005978726.tif 000007
【図７】
0005978726.tif 000008
【図８】
0005978726.tif 000009
【図９】
0005978726.tif 000010
【図１０】
0005978726.tif 000011
【図１１】
0005978726.tif 000012
【図１２】
0005978726.tif 000013
【図１３】
0005978726.tif 000014
【図１４】
0005978726.tif 000015
【図１５】
0005978726.tif 000016
【図１６】
0005978726.tif 000017
【図１７】
0005978726.tif 000018
【図１８】
0005978726.tif 000019
【図１９】
0005978726.tif 000020
【図２０】
0005978726.tif 000021
【図２１】
0005978726.tif 000022
【図２２】
0005978726.tif 000023
【図２３】
0005978726.tif 000024
【図２４】
0005978726.tif 000025
【図２５】
0005978726.tif 000026
【図２６】
0005978726.tif 000027
【図２７】
0005978726.tif 000028